(57)【要約】【課題】携帯型機器によって操作可能な家電機器を使用する際に、個人認証により個人向け自動設定を低コストで簡易に行うことができる個人認証システムを提供する。【解決手段】センサ部５を制御するＣＰＵ１８と、センサ部５において検出された個人識別信号ＰＳiを送信し、個人認証信号ＲＳiを受信する送受信部２０とを有するリモートコントローラ１と、認証部６を備える家電機器３と、リモートコントローラ１からの個人識別信号ＰＳiを家電機器３に伝送し、家電機器３からの個人認証信号ＲＳiをリモートコントローラ１に伝送する無線伝送部２とを備え、家電機器３は、ゲーム機やＨＤレコーダであっても良く、映像機器であっても良い。個人認証には、家電機器３の使用者の音声認証方式、リモートコントローラ１における静電認証方式、若しくは人体通信による静電認証方式を適用することができる。【選択図】図１
2010211296.tif 000002
【特許請求の範囲】
【請求項１】
センサ部と、前記センサ部を制御する第１ＣＰＵと、前記センサ部において検出された個人識別信号を送信し、個人認証信号を受信する第１送受信部とを有するリモートコントローラと、
認証部を備える家電機器と、
前記リモートコントローラからの前記個人識別信号を前記家電機器に伝送し、前記家電機器からの前記個人認証信号を前記リモートコントローラに伝送する無線伝送部と
を備えることを特徴とする個人認証システム。
【請求項２】
前記家電機器は、ゲーム機やＨＤレコーダであり、前記ゲーム機やＨＤレコーダに接続されたテレビジョンモニタを備えることを特徴とする請求項１に記載の個人認証システム。
【請求項３】
前記家電機器は、映像機器であり、前記映像機器に接続された映像モニタを備えることを特徴とする請求項１に記載の個人認証システム。
【請求項４】
前記センサ部は、前記家電機器の使用者の入力音声を検出する音声入力部を備えることを特徴とする請求項１〜３のいずれか１項に記載の個人認証システム。
【請求項５】
前記センサ部は、前記家電機器の使用者のジェスチャーを検出する加速度センサ部を備えることを特徴とする請求項１〜４のいずれか１項に記載の個人認証システム。
【請求項６】
前記個人識別信号は、前記家電機器の使用者の入力音声のＡＤＰＣＭ信号であることを特徴とする請求項１〜５のいずれか１項に記載の個人認証システム。
【請求項７】
前記個人認証信号は、前記家電機器の使用者の圧縮音声信号であることを特徴とする請求項１〜６のいずれか１項に記載の個人認証システム。
【請求項８】
前記センサ部は、マイクロホンと、前記マイクロホンに接続されたマイク音声増幅器と、スピーカと、前記スピーカに接続されたスピーカ音声増幅器と、前記マイク音声増幅器および前記スピーカ音声増幅器に接続された第１コーデックとを備え、前記マイクロホンに入力された前記家電機器の使用者の入力音声を前記第１コーデックにおいて符号化して前記第１送受信部より前記家電機器に送信し、前記第１送受信部において受信した前記家電機器の使用者の圧縮音声信号を前記第１コーデックにおいて復調して、前記スピーカより出力することを特徴とする請求項１〜７のいずれか１項に記載の個人認証システム。
【請求項９】
前記家電機器は、前記個人識別信号を受信する第２送受信部と、前記第２送受信部に接続された第２コーデックと、前記第２コーデックに接続され、前記家電機器を制御する第２ＣＰＵと、前記第２ＣＰＵに接続されたメモリと、前記メモリに接続され、前記家電機器の使用者の個人認証を行う認証部とを備え、前記認証部において、前記メモリに記憶された前記家電機器の使用者の音声信号と、前記第２コーデックにおいて復調された前記個人識別信号を比較することを特徴とする請求項１〜８のいずれか１項に記載の個人認証システム。
【請求項１０】
前記認証部は、前記家電機器の使用者の音声キーワードを記憶する音声キーワード登録部を備えることを特徴とする請求項１〜９のいずれか１項に記載の個人認証システム。
【請求項１１】
前記認証部は、前記家電機器の使用者のジェスチャーを記憶するジェスチャー登録部を備えることを特徴とする請求項１〜１０のいずれか１項に記載の個人認証システム。
【請求項１２】
前記センサ部は、前記家電機器の使用者の個人識別用の可変静電容量と、前記可変静電容量に接続された容量電圧変換部と、前記容量電圧変換部に接続されたＡ／Ｄコンバータと、前記Ａ／Ｄコンバータに接続されたレジスタと、前記レジスタに接続された座標位置計算部とを備え、前記可変静電容量の値を前記座標位置計算部において計算して得られた個人識別信号を、前記第１送受信部より前記家電機器に送信し、前記家電機器の使用者の圧縮音声信号を前記第１送受信部において受信することを特徴とする請求項１〜３のいずれか１項に記載の個人認証システム。
【請求項１３】
前記可変静電容量の値は、前記リモートコントローラ上に配置されたボタンスイッチに対して、前記家電機器の使用者の個人の手の接触位置を、前記座標位置計算部において計算して得られることを特徴とする請求項１２に記載の個人認証システム。
【請求項１４】
前記可変静電容量の値は、前記リモートコントローラ上に配置された２次元マトリックス配線に対して、前記家電機器の使用者の個人の手の接触位置を、前記座標位置計算部において計算して得られることを特徴とする請求項１２に記載の個人認証システム。
【請求項１５】
前記センサ部は、前記家電機器の使用者を識別する人体通信パルスと、前記人体通信パルスを入力するＡ／Ｄコンバータと、前記Ａ／Ｄコンバータに接続されたレジスタとを備え、前記人体通信パルスにより得られた個人識別信号を、前記第１送受信部より前記家電機器に送信し、前記家電機器の使用者の圧縮音声信号を記第１送受信部において受信することを特徴とする請求項１〜３のいずれか１項に記載の個人認証システム。
【請求項１６】
前記人体通信パルスは、前記家電機器の使用者の装着するパルス発生器の出力パルスを前記使用者の人体通信により得られることを特徴とする請求項１５に記載の個人認証システム。
【請求項１７】
前記無線伝送部の媒質は、空気を含む気体若しくは真空であることを特徴とする請求項１〜１６のいずれか１項に記載の個人認証システム。
【請求項１８】
前記個人識別信号および前記個人認証信号は、無線周波数信号、赤外線短距離無線信号、若しくは２．４ＧＨｚ帯高周波信号のいずれかであることを特徴とする請求項１〜１７のいずれか１項に記載の個人認証システム。
【発明の詳細な説明】
【技術分野】
【０００１】
本発明は個人認証システムに関し、特にリモコン等の携帯型機器に適用可能な個人認証システムに関する。
【背景技術】
【０００２】
リモコン等の携帯型機器によって操作可能な家電機器、ゲーム機やハードディスク（ＨＤ：Hard Disk）レコーダ、映像機器などを使用する際に、個人認証を簡易に行う方法が求められている。使用者を特定するとともに使用者の個人的なキャラクタを家電機器、ゲーム機、映像機器などのモニタ上で表示することによって、ユーザフレンドリーな機器を提供することができるからである。
【０００３】
一般的に、従来の個人認証システムとしては、音声認識を利用する方法がある（例えば、特許文献１乃至特許文献３参照。）。また、静電容量検出を利用する方法がある（例えば、特許文献４参照。）。或いはまた、人体通信を利用する方法がある（例えば、特許文献５参照。）。特許文献１〜５の方法はいずれも大規模なシステムを使用するものであり、消費電力も大きい。
【０００４】
更に、他の方法としては、顔認証を利用する方法、指紋認証を利用する方法がある。顔認証を利用する方法は、カメラなどを必要とし高価であり、また認証までの時間を要する。
【０００５】
指紋認証を利用する方法は、装置は簡易であるが、認証までの時間を要する。
【先行技術文献】
【特許文献】
【０００６】
【特許文献１】特開２００７−４１３１９号公報
【特許文献２】特開２００７−１５６９７４号公報
【特許文献３】特開２００８−１１７３３８号公報
【特許文献４】特開２０００−５１４７号公報
【特許文献５】特開２００８−１９６２１７号公報
【発明の概要】
【発明が解決しようとする課題】
【０００７】
本発明の目的は、リモコン等の携帯型機器によって操作可能な家電機器、ゲーム機やＨＤレコーダ、映像機器などを使用する際に、認証を家電機器、ゲーム機やＨＤレコーダ、映像機器などの本体、若しくは簡易的な方法のため、リモコン等の携帯型機器内で行うことによって、個人認証により個人向け自動設定を低コストで簡易に行うことができる個人認証システムを提供することにある。
【０００８】
また、
【課題を解決するための手段】
【０００９】
本発明の一態様によれば、センサ部と、センサ部を制御する第１ＣＰＵと、センサ部において検出された個人識別信号を送信し、個人認証信号を受信する第１送受信部とを有するリモートコントローラと、認証部を備える家電機器と、リモートコントローラからの個人識別信号を家電機器に伝送し、家電機器からの個人認証信号をリモートコントローラに伝送する無線伝送部とを備える個人認証システムが提供される。
【発明の効果】
【００１０】
本発明の個人認証システムによれば、リモコン等の携帯型機器によって操作可能な家電機器、ゲーム機やＨＤレコーダ、映像機器などを使用する際に、認証を家電機器、ゲーム機やＨＤレコーダ、映像機器などの本体、若しくは簡易的な方法のため、リモコン等の携帯型機器内で行うことによって、個人認証により個人向け自動設定を低コストで簡易に行うことができる。
【図面の簡単な説明】
【００１１】
【図１】本発明の第１の実施の形態に係る個人認証システムを説明する模式的ブロック構成図。
【図２】本発明の第１の実施の形態に係る個人認証システムを説明する模式的ブロック構成図であって、対象がゲーム機やＨＤレコーダの例。
【図３】本発明の第１の実施の形態に係る個人認証システムを説明する模式的ブロック構成図であって、対象が映像機器の例。
【図４】本発明の第１の実施の形態に係る個人認証システムを説明する図であって、（ａ）音声認識方式の模式的ブロック構成例、（ｂ）リモートコントローラからなる子機１Ａの匡体の鳥瞰図。
【図５】本発明の第１の実施の形態に係る個人認証システムを説明する図であって、（ａ）音声認証方式におけるリモートコントローラの詳細な模式的ブロック構成図、（ｂ）音声認証方式におけるゲーム機やＨＤレコーダの詳細な模式的ブロック構成図。
【図６】本発明の第１の実施の形態に係る個人認証システムにおける認証部の模式的ブロック構成図。
【図７】本発明の第２の実施の形態に係る個人認証システムを説明する図であって、静電認証方式の説明図。
【図８】本発明の第２の実施の形態に係る個人認証システムを説明する図であって、静電認証方式におけるリモートコントローラの模式的ブロック構成図。
【図９】本発明の第２の実施の形態に係る個人認証システムにおいて、静電認証方式の具体例を説明する図であって、（ａ）リモートコントローラ上のボタンスイッチの配置例、（ｂ）個人の手の模式図、（ｃ）リモートコントローラ上のボタンスイッチに対して、個人の手の接触位置の模式図。
【図１０】本発明の第２の実施の形態に係る個人認証システムにおいて、静電認証方式の別の具体例を説明する図。
【図１１】本発明の第３の実施の形態に係る個人認証システムにおいて、人体通信による静電認証方式の具体例を説明する図。
【図１２】本発明の第３の実施の形態に係る個人認証システムにおいて、人体通信による静電認証方式におけるリモートコントローラの模式的ブロック構成図。
【発明を実施するための形態】
【００１２】
次に、図面を参照して、本発明の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１３】
又、以下に示す実施の形態は、この発明の技術的思想を具体化するための装置や方法を例示するものであって、この発明の実施の形態は、構成部品の材質、形状、構造、配置等を下記のものに特定するものでない。この発明の実施の形態は、特許請求の範囲において、種々の変更を加えることができる。
【００１４】
（第１の実施の形態）
本発明の第１の実施の形態に係る個人認証システムを説明する模式的ブロック構成は、図１に示すように、センサ部５と、センサ部５を制御する中央演算処理装置（ＣＰＵ）１８と、センサ部５において検出された個人識別信号ＰＳiを送信し、個人認証信号ＲＳiを受信する送受信部２０とを有するリモートコントローラ１と、認証部６を備える家電機器３と、リモートコントローラ１からの個人識別信号ＰＳiを家電機器３に伝送し、家電機器３からの個人認証信号ＲＳiをリモートコントローラ１に伝送する無線伝送部２とを備える。
【００１５】
ここで、リモートコントローラ１は、リモコン等の携帯型機器であり、通常バッテリー駆動され、低消費電力であり、かつ軽量化されることが望ましい。
【００１６】
家電機器３としては、例えば、テレビジョン、クーラー、冷蔵庫、洗濯機、映像機器、ゲーム機やＨＤレコーダ、音楽プレーヤ、キーレスエントリーシステム、電話、ファクシミリ、電子レンジ、電子炊飯器、ドアホン、セキュリティ用監視カメラなどを適用することができる。
【００１７】
無線伝送部２は、例えば、その媒質は、空気を含む気体であり、宇宙船等の特殊用途としては真空であっても良い。
【００１８】
個人識別信号ＰＳiおよび個人認証信号ＲＳiは、無線周波数（ＲＦ）信号、赤外線短距離無線信号、若しくは２．４ＧＨｚ帯高周波信号などを適用することができる。
【００１９】
なお、ここで個人識別信号ＰＳiによって特定される人数は、例えば、家族構成の人数、集合住宅であればその住民の人数程度である。従って、数人〜数百人程度である。
【００２０】
第１の実施の形態に係る個人認証システムにおいては、個人認証により、個人向け自動設定を低コストで簡易に行うことができる。例えば、個人認証により、テレビやＨＤレコーダでは個人の趣味に合った個人向け番組表やおすすめ番組を表示することができ、また、年齢指定番組ロックを実施することもできる。ゲーム機では、個人登録したキャラクタでの遊びや、セーブデータの自動読み出しが可能となる。その他、家電機器やキーレスエントリーでは、簡易セキュリティ、座標位置調整、ナビゲーションシステム・音楽設定を実施することもできる。
【００２１】
第１の実施の形態に係る個人認証システムを説明する模式的ブロック構成図であって、対象がゲーム機やＨＤレコーダの例は、図２に示すように表される。図１の家電機器３は、ゲーム機やＨＤレコーダ４で置換され、さらにゲーム機やＨＤレコーダ４に接続されたテレビジョンモニタ７を備える。
【００２２】
第１の実施の形態に係る個人認証システムを説明する模式的ブロック構成図であって、対象が映像機器の例は、図３に示すように表される。図１の家電機器３は、映像機器８で置換され、さらに映像機器８に接続された映像モニタ９を備える。
【００２３】
以下、家電機器３として、ゲーム機やＨＤレコーダ４を対象として、音声認識方式による第１の実施の形態に係る個人認証システムを説明する。
【００２４】
（音声認識方式）
音声認識方式による第１の実施の形態に係る個人認証システムの模式的ブロック構成は、図４（ａ）に示すように、リモートコントローラ１からなる子機１Ａと、ゲーム機やＨＤレコーダ４からなる親機４Ａで表され、リモートコントローラ１からなる子機１Ａの匡体７０の鳥瞰図は、図４（ｂ）に示すように表される。
【００２５】
子機１Ａは、図４（ａ）に示すように、センサ部５と、センサ部５を制御するＣＰＵ１８と、ＣＰＵ１８に接続され、アンテナ２２を有する送受信部２０を備える。
【００２６】
親機４Ａは、図４（ａ）に示すように、アンテナ２３を有する送受信部２１と、ゲーム機やＨＤレコーダ４の使用者の個人認証を行う認証部６とを有する。
【００２７】
センサ部５は、ゲーム機やＨＤレコーダ４の使用者の入力音声を検出する音声入力部６２と、予め登録された音声を出力する音声出力部６４と、ゲーム機やＨＤレコーダ４の使用者が使用する操作部６０とを備える。なお、図４（ｂ）において操作部６０は、テンキーの形状を有する例が示されてる。
【００２８】
センサ部５において音声入力された個人識別信号ＰＳiは、後述するコーデック（１４：図５（ａ））によって、例えば、適応差分パルス符号変調（ＡＤＰＣＭ：Adaptive differential pulse code modulation）されたＡＤＰＣＭ信号ＡＤＳに変換され、送受信部２０より、ゲーム機やＨＤレコーダ４に対して無線伝送される。なお、コーデックには、上記のＡＤＰＣＭのほかにＭＰ３などの方式がある。
【００２９】
ゲーム機やＨＤレコーダ４の使用者の個人認証を行う認証部６において、予め登録されたゲーム機やＨＤレコーダ４の使用者の音声信号と、上述のＡＤＰＣＭ信号ＡＤＳを機器内で音声データに復調したデータと比較し個人認証を行う。個人認証結果は、ゲーム機やＨＤレコーダ４の使用者の個人認証信号である圧縮音声信号ＥＡＳとして、送受信部２１からリモートコントローラ１の送受信部２０に送信される。その結果、ゲーム機やＨＤレコーダ４の使用者の圧縮音声信号ＥＡＳを後述するコーデック１４において復調して、音声出力部６４より出力する。
【００３０】
ここで、ＡＤＰＣＭ信号ＡＤＳは、例えば、４ｋＨｚ〜３２ｋＨｚのサンプリング周波数を有し、例えば、１６ｋｂｐｓ〜１２８ｋｂｐｓの伝送速度を有する。また、圧縮音声信号ＥＡＳは、例えば、４ｋＨｚ〜８ｋＨｚのサンプリング周波数を有し、例えば、４ビットのチャンネルを想定すると、２4×４〜２4×８＝６４ｋｂｐｓ〜１２８ｋｂｐｓの伝送速度を有する。
【００３１】
リモートコントローラ１の匡体７０上には、図４（ｂ）に示すように、操作部６０と、音声入力部６２と、音声出力部６４が配置されている。
【００３２】
第１の実施の形態に係る個人認証システムの音声認証方式におけるリモートコントローラ１のさらに詳細な模式的ブロック構成は、図５（ａ）に示すように表され、音声認証方式におけるゲーム機やＨＤレコーダ４のさらに詳細な模式的ブロック構成は、図５（ｂ）に示すように表される。また、第１の実施の形態に係る個人認証システムにおける認証部６の模式的ブロック構成は、図６に示すように表される。
【００３３】
図５（ａ）に示すように、図４（ａ）に対応したリモートコントローラ１のセンサ部５は、マイクロホン１０と、マイクロホン１０に接続されたマイク音声増幅器１２と、スピーカ２４と、スピーカ２４に接続されたスピーカ音声増幅器２６と、マイク音声増幅器１２およびスピーカ音声増幅器２６に接続されたコーデック１４と、コーデック１４に接続されたＦＩＦＯ回路１６とを備える。マイクロホン１０に入力されたゲーム機やＨＤレコーダ４の使用者の入力音声をコーデック１４において符号化して得られるＡＤＰＣＭ信号ＡＤＳを送受信部２０よりゲーム機やＨＤレコーダ４に無線送信し、送受信部２０において受信したゲーム機やＨＤレコーダ４の使用者の圧縮音声信号ＥＡＳをコーデック１４において復調して、スピーカ２４より出力する。
【００３４】
一方、ゲーム機やＨＤレコーダ４は、個人識別信号ＡＤＳを受信する送受信部２１と、送受信部２１に接続されたコーデック３２と、コーデック３２に接続され、ゲーム機やＨＤレコーダ４を制御するＣＰＵ３４と、ＣＰＵ３４に接続されたメモリ３６と、メモリ３６に接続され、ゲーム機やＨＤレコーダ４の使用者の個人認証を行う認証部６とを備える。認証部６において、メモリ３６に記憶されたゲーム機やＨＤレコーダ４の予め登録された使用者の音声信号と、コーデック３２において復調された個人識別信号ＡＤＳとを比較し、個人認証を行う。個人認証結果は、コーデック３２において圧縮され、ゲーム機やＨＤレコーダ４の使用者の圧縮音声信号ＥＡＳとして、送受信部２１からリモートコントローラ１の送受信部２０に送信される。その結果、ゲーム機やＨＤレコーダ４の使用者の圧縮音声信号ＥＡＳをコーデック３２において復調して、スピーカ２４より出力する。メモリ３６には、外部メモリ３８を外付けして使用することも可能とし、外部メモリ３８には、ゲーム機やＨＤレコーダ４の予め登録された使用者のＡＤＰＣＭ音声信号データ、映像信号データなどを記憶しておいても良い。
【００３５】
ゲーム機やＨＤレコーダ４本体に登録されたゲーム機やＨＤレコーダ４の使用者のジェスチャーを検出する場合には、センサ部５は、図４（ａ）に示したように、ゲーム機やＨＤレコーダの使用者のジェスチャーを検出する加速度センサ部６６を備えていても良い。ここでジェスチャ―とは、ゲーム機やＨＤレコーダ４の使用者が、リモートコントローラ１の匡体７０を保持しながら特定の動作をすることを云う。ゲーム機やＨＤレコーダ４本体に登録されたゲーム機やＨＤレコーダ４の使用者のジェスチャーと、リモートコントローラ１の匡体７０を保持しながら特定の動きをするジェスチャ―が一致するか否かで、登録済みか否かを判定することができる。加速度センサ部６６には、チタン酸ジルコン酸鉛（ＰＺＴ）膜やランタンドープジルコン酸チタン酸鉛（ＰＬＺＴ）膜等の圧電体膜を使用したジャイロセンサなどを適用することができる。
【００３６】
認証部６は、図６に示すように、ゲーム機やＨＤレコーダ４の使用者の音声キーワードを記憶する音声キーワード登録部４４を備える。ゲーム機やＨＤレコーダ４の使用者の音声キーワードが登録済みの場合には、登録済みデータは、登録済みデータ格納部４８に記憶され、ゲーム機やＨＤレコーダ４の使用者の音声キーワードが未登録の場合には、未登録データは、未登録データ格納部５０に記憶される。例えば、音声キーワードを登録し、リモートコントローラ１のマイクロホン１０にキーワードを音声入力することで、キーワードの一致／不一致で、ゲーム機やＨＤレコーダ４の使用者を判定することができる。
【００３７】
また、認証部６は、図６に示すように、ゲーム機やＨＤレコーダ４の使用者のジェスチャーを記憶するジェスチャー登録部４６を備えていても良い。ゲーム機やＨＤレコーダ４の使用者のジェスチャーが登録済みの場合には、登録済みデータは、登録済みデータ格納部５２に記憶され、ゲーム機やＨＤレコーダ４の使用者のジェスチャーが未登録の場合には、未登録データは、未登録データ格納部５４に記憶される。例えば、ゲーム機やＨＤレコーダ４の使用者のジェスチャーを登録し、リモートコントローラ１を保持する個人が特定の動作をすることで、ジェスチャーの一致／不一致で、ゲーム機やＨＤレコーダ４の使用者を判定することができる。
【００３８】
第１の実施の形態に係る個人認証システムによれば、リモコン等の携帯型機器によって操作可能な家電機器、ゲーム機やＨＤレコーダ、映像機器などを使用する際に、音声認証を家電機器、ゲーム機やＨＤレコーダ、映像機器などの本体、若しくは簡易的な方法のため、リモコン等の携帯型機器内で行うことによって、個人認証により個人向け自動設定を低コストで簡易に行うことができる。
【００３９】
（第２の実施の形態）
第２の実施の形態に係る個人認証システムにおいて、静電認証方式は、図７に示すように、リモートコントローラ１ａの筐体７０を家電機器、ゲーム機やＨＤレコーダ、映像機器などの使用者が手で保持する際に、筐体７０上の接触位置７５において、接触面積で容量計算を行い、発生する静電容量変化を検出する方式である。家電機器、ゲーム機やＨＤレコーダ、映像機器の本体の構成は、第１の実施の形態と同様である。また、家電機器、ゲーム機やＨＤレコーダ、映像機器の本体において個人認証を行う点も第１の実施の形態と同様である。なお、図７において操作部６１は、携帯電話のセンタ−十字キーの形状を有する例が示されてる。
【００４０】
第２の実施の形態に係る個人認証システムにおいて、静電認証方式におけるリモートコントローラ１ａの模式的ブロック構成は、図８に示すように、センサ部５ａと、センサ部５ａを制御するＣＰＵ１８と、センサ部５ａにおいて検出された個人識別信号を送信し、個人認証信号を受信する送受信部２０とを有する。
【００４１】
センサ部５ａは、家電機器の使用者を識別する可変静電容量９０と、可変静電容量９０に接続された容量電圧変換部９２と、容量電圧変換部９２に接続されたＡ／Ｄコンバータ９４と、Ａ／Ｄコンバータ９４に接続されたレジスタ９６と、レジスタ９６に接続された座標位置計算部９８とを備える。レジスタ９６は、可変静電容量９０の値を座標位置計算部９８において計算する際の一時メモリとして機能する。可変静電容量９０の値を座標位置計算部９８において計算して得られた個人識別信号を、送受信部２０より家電機器に送信し、家電機器の使用者の個人認証信号を送受信部２０において受信する。
【００４２】
静電認証方式における可変静電容量９０の値は、例えば、図９（ａ）〜図９（ｃ）に示すように、リモートコントローラ１ａの筐体７０上に配置されたボタンスイッチ７４に対して、家電機器の使用者の個人の手８０の接触位置７５を、座標位置計算部９８において計算して得ることができる。
【００４３】
別の例としては、静電認証方式における可変静電容量９０の値は、例えば、リモートコントローラ１ａ上に配置されたＸＹ２次元マトリックス配線に対して、家電機器の使用者の個人の手８０の接触位置をＸＹマトリックス配線をＸ方向、Ｙ方向にスキャンし、ＸＹ交差部７６を、座標位置計算部９８において計算して得ることもできる。
【００４４】
第２の実施の形態に係る個人認証システムによれば、リモコン等の携帯型機器によって操作可能な家電機器、ゲーム機やＨＤレコーダ、映像機器などを使用する際に、静電認証を家電機器、ゲーム機やＨＤレコーダ、映像機器などの本体、若しくは簡易的な方法のため、リモコン等の携帯型機器内で行うことによって、個人認証により個人向け自動設定を低コストで簡易に行うことができる。
【００４５】
（第３の実施の形態）
第３の実施の形態に係る個人認証システムにおいて、人体通信による静電認証方式の具体例を図１１に示す。また、第３の実施の形態に係る個人認証システムにおいて、人体通信による静電認証方式におけるリモートコントローラ１ｂの模式的ブロック構成を図１２に示す。
【００４６】
第３の実施の形態に係る個人認証システムにおいて、人体通信による静電認証方式は、図１１に示すように、家電機器、ゲーム機やＨＤレコーダ、映像機器などの使用者の装着するパルス発生器８２の出力パルスを使用者の人体８６を伝送経路８４として人体通信により伝送し、その結果、リモートコントローラ１ｂの筐体７０において発生する人体通信パルス１００を検出する方式である。人体通信パルス１００は、家電機器、ゲーム機やＨＤレコーダ、映像機器などの使用者の装着するパルス発生器８２の出力パルスを使用者の人体通信により得られることから、個人識別信号として使用することができる。パルス発生器８２の出力パルスを単一パルス、ダブルパルスなどと可変にすることによって、個人識別信号を発生することもできる。或いは、パルス発生器８２の出力パルスの番号を識別することによっても個人識別信号を発生することもできる。
【００４７】
第３の実施の形態に係る個人認証システムにおいても、家電機器、ゲーム機やＨＤレコーダ、映像機器の本体の構成は、第１の実施の形態と同様である。また、家電機器、ゲーム機やＨＤレコーダ、映像機器の本体において個人認証を行う点も第１の実施の形態と同様である。
【００４８】
第３の実施の形態に係る個人認証システムにおいて、人体通信による静電認証方式におけるリモートコントローラ１ｂの模式的ブロック構成は、図１２に示すように、センサ部５ｂと、センサ部５ｂを制御するＣＰＵ１８と、センサ部５ｂにおいて検出された個人識別信号を送信し、個人認証信号を受信する送受信部２０とを有する。人体通信パルス１００は、リモートコントローラ１ｂの入力端子Ａに入力される。
【００４９】
センサ部５ｂは、家電機器の使用者を識別する人体通信パルス１００を入力するＡ／Ｄコンバータ９４と、Ａ／Ｄコンバータ９４に接続されたレジスタ９６とを備え、人体通信パルス１００により得られた個人識別信号を、送受信部２０より家電機器に送信し、例えば、家電機器の使用者の個人認証信号を送受信部２０において受信する。
【００５０】
なお、第３の実施の形態に係る個人認証システムにおいて、リモートコントローラ内で個人を特定しても良い。
【００５１】
第３の実施の形態に係る個人認証システムによれば、リモコン等の携帯型機器によって操作可能な家電機器、ゲーム機やＨＤレコーダ、映像機器などを使用する際に、人体通信による静電認証を家電機器、ゲーム機やＨＤレコーダ、映像機器などの本体、若しくは簡易的な方法のため、リモコン等の携帯型機器内で行うことによって、個人認証により個人向け自動設定を低コストで簡易に行うことができる。
【００５２】
（その他の実施の形態）
上記のように、本発明は第１〜第３の実施の形態によって記載したが、この開示の一部をなす論述および図面はこの発明を限定するものであると理解すべきではない。この開示から当業者には様々な代替実施の形態、実施例および運用技術が明らかとなろう。
【００５３】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【産業上の利用可能性】
【００５４】
本発明の個人認証システムは、家電機器、映像機器、ゲーム機やＨＤレコーダ、車のキーレスエントリーシステムなどの個人認証システムとして幅広い分野に適用可能である。この発明により、テレビやＨＤレコーダでは個人の趣味に合った番組表やおすすめ番組を表示することができる。ゲームでは、個人登録したキャラクタでの遊びや、セーブデータの詠み出しが可能となる。その他、家電機器やキーレスエントリーでは、簡易セキュリティ、座標位置調整、ナビゲーションシステム・音楽設定等に応用が可能である。
【符号の説明】
【００５５】
１、    １ａ、１ｂ…リモートコントローラ
１Ａ…子機
２…無線伝送部
３…家電機器
４…ゲーム機やＨＤレコーダ
４Ａ…親機
５、５ａ、５ｂ…センサ部
６…認証部
７…テレビジョンモニタ（ＴＶ）
８…映像機器
９…映像モニタ
１０…マイクロホン
１２…マイク音声増幅器（ＭＩＣＡＭＰ）
１４、３２…コーデック
１６…ＦＩＦＯ回路
１８、３４…中央演算処理装置（ＣＰＵ）
２０、２１…送受信部
２２、２３…アンテナ
２４…スピーカ
２６…スピーカ音声増幅器（ＳＰＡＭＰ）
３６…メモリ
３８…外部メモリ
４４…音声キーワード登録部
４６…ジェスチャー登録部
４８、５２…登録済データ格納部
５０、５４…未登録データ格納部
６０…操作部
６２…音声入力部
６４…音声出力部
６６…加速度センサ部
７０…匡体
７４…ボタンスイッチ
７５…接触位置
７６…ＸＹ交差部
８０…手
８２…パルス発生器
８４…伝送経路
８６…人体
９０…可変静電容量
９２…容量電圧変換部
９４…Ａ／Ｄコンバータ
９６…レジスタ
９８…座標位置計算部
１００…人体通信パルス
ＰＳi…個人識別信号
ＲＳi…個人認証信号
ＡＤＳ…ＡＤＰＣＭ信号（個人識別信号）
ＥＡＳ…圧縮音声信号（個人認証信号）
【図１】
2010211296.tif 000003
【図２】
2010211296.tif 000004
【図３】
2010211296.tif 000005
【図４】
2010211296.tif 000006
【図５】
2010211296.tif 000007
【図６】
2010211296.tif 000008
【図７】
2010211296.tif 000009
【図８】
2010211296.tif 000010
【図９】
2010211296.tif 000011
【図１０】
2010211296.tif 000012
【図１１】
2010211296.tif 000013
【図１２】
2010211296.tif 000014